(57)【要約】【課題】フィルター（光透過素子）とフィルター枠の係止部を光軸方向に対して同じ面に形成することで、最適なフィルター（光透過素子）の外径を備えることができるフィルター取り付け構造を提供する。【解決手段】フィルター（光透過素子）３２を保持したフィルター枠１２と一体に、フィルター（光透過素子）３２と同じ面に形成されたロック解除ストローク２４と、本体レンズ部の最前面に取り付けるための係止部１６と、押圧部２６により押圧されてフィルター枠１２が歪んで変形するのを防ぐためのそり防止リブ９と、本体レンズ部の最前面に当てて平面度を確保するための位置決め面１４とを具備する。【選択図】図２
2011043653.tif 000002
【特許請求の範囲】
【請求項１】
フィルターを保持するフィルター取り付け部材であって、
フィルターを保持するフィルター枠と、
前記フィルター枠の径方向に対向する位置２箇所に一体的に形成され、製品本体のレンズ鏡筒の最前部内径に係止される係止部と、
前記係止部の外側に前記フィルター枠を径の中心方向に押圧することで前記係止部を係止または解除するための押圧部と、
前記係止部の内側には前記押圧部を押圧することにより前記フィルター枠の歪を吸収するためのロック解除ストロークと、
を備えたことを特徴とするフィルター取り付け部材。
【請求項２】
フィルターを保持するフィルター取り付け部材であって、
フィルターを保持するフィルター枠と、
前記フィルター枠に圧接され、径方向に対向する位置２箇所に製品本体のレンズ鏡筒の最前部内径に係止される係止部と前記係止部の外側に径の中心方向に押圧することで前記係止部を係止または解除するための押圧部とを備えたフィルター枠ロックと、
前記押圧部を押圧することにより前記フィルター枠ロックを前記押圧部の押圧する方向と垂直方向にのみ撓ませるために、前記フィルター枠ロックを前記フィルター枠に圧接して挟持するためのロック蓋と、
を備えたことを特徴とするフィルター取り付け部材。
【請求項３】
フィルター枠の係止部の外径は、製品本体のレンズ鏡筒の最前部内径よりも大きく、押圧部を押圧した場合には小さくなり、
前記係止部が、前記レンズ鏡筒の内径に有するレンズ係止部に係止することを特徴とする請求項１または２記載のフィルター取り付け部材。
【請求項４】
係止部と一体に形成されたフィルター枠のレンズ側の面には、撓みを防止するための外周リブを備えたことを特徴とする請求項１記載のフィルター取り付け部材。
【発明の詳細な説明】
【技術分野】
【０００１】
本発明は、ワンタッチで簡単且つ容易に着脱可能で、回転方向に調整が必要な光学機器のレンズアクセサリーの着脱、調整可能なフィルター取り付け部材に関するものである。
【背景技術】
【０００２】
従来、この種のフィルター取り付け部材としては、例えば、特許文献１に記載されているようなものがあった。図６は前記特許文献１に記載された従来のフィルター取り付け部材の構造を示している。図６においてレンズアクセサリー１０は、フィルター（光透過素子）３２が取り付けられ、ワンタッチで本体レンズ部に取り付け、取り外すことができるように、フィルター枠１２の直径よりも大きな２箇所の取手部２０とそれと対の係止部１６を備えている。この係止部１６によって、レンズアクセサリー１０が、本体レンズ部の最前部内側に係止する。
【０００３】
レンズアクセサリー１０を本体レンズ部に取り付け、取り外す方法は、取手部２０を押圧または圧搾し、それにより係止部１６を本体レンズ部の所定位置まで付勢し、レンズアクセサリー１０を取り付け、取り外しを行う。
【０００４】
特に、製品本体に取り付けられているレンズのズームやフォーカスをした際に、回転方向に影響のあるフィルター（偏光フィルターやクロスフィルター等）を再調整しなければならない場合には、簡単に着脱可能な構造が望ましい。
【先行技術文献】
【特許文献】
【０００５】
【特許文献１】特開平４−３０１６２８号公報
【発明の概要】
【発明が解決しようとする課題】
【０００６】
しかしながら、前記従来の構成では、係止部１６を本体レンズ部から離すための撓みが必要であり、その撓みを形成するためにフィルター（光透過素子）３２と係止部１６を光軸方向に離すことで係止部１６が撓む空間を確保しているが、本体レンズ部を通る光の経路を考慮すると、レンズアクセサリー１０のフィルター（光透過素子）３２の位置が本体レンズ部より離れれば離れる程、光透過素子３２の直径は大きくしていかなければならない。
【０００７】
特に、プロジェクター等のようにレンズシフト機構を有する機器に使用する場合は、光軸方向に離す距離が数ｍｍでも大きくなると、光透過素子の外径も大きくなり、光透過素子のコストが大幅にかかり、また本体レンズ部の外径よりも大きくなる場合には、レンズシフトの機能を妨げる要因になる。
【課題を解決するための手段】
【０００８】
前記従来の課題を解決するため、本発明のフィルター取り付け部材は、フィルターを保持するフィルター取り付け部材であって、フィルターを保持するフィルター枠と、前記フィルター枠の径方向に対向する位置２箇所に一体的に形成され、製品本体のレンズ鏡筒の最前部内径に係止される係止部と、前記係止部の外側に前記フィルター枠を径の中心方向に押圧することで前記係止部を係止または解除するための押圧部と、前記係止部の内側には前記押圧部を押圧することにより前記フィルター枠の歪を吸収するためのロック解除ストロークと、を備えたことを特徴とする。
【０００９】
また、フィルターを保持するフィルター取り付け部材であって、フィルターを保持するフィルター枠と、前記フィルター枠に圧接され、径方向に対向する位置２箇所に製品本体のレンズ鏡筒の最前部内径に係止される係止部と前記係止部の外側に径の中心方向に押圧することで前記係止部を係止または解除するための押圧部とを備えたフィルター枠ロックと、前記押圧部を押圧することにより前記フィルター枠ロックを前記押圧部の押圧する方向と垂直方向にのみ撓ませるために、前記フィルター枠ロックを前記フィルター枠に圧接して挟持するためのロック蓋と、を備えたことを特徴とする。
【００１０】
また、フィルター枠の係止部の外径は、製品本体のレンズ鏡筒の最前部内径よりも大きく、押圧部を押圧した場合には小さくなり、前記係止部が、前記レンズ鏡筒の内径に有するレンズ係止部に係止することを特徴とする。
【００１１】
さらに、係止部と一体に形成されたフィルター枠のレンズ側の面には、撓みを防止するための外周リブを備えたことを特徴とする。
【発明の効果】
【００１２】
以上のように、本発明のフィルター取り付け部材によれば、フィルター（光透過素子）と本体レンズの最前面との距離が最短となり、フィルター（光透過素子）の外径を最小にすることができる。
【図面の簡単な説明】
【００１３】
【図１】本発明の実施の形態１におけるフィルター枠とフィルター（光透過素子）との関係の外観斜視図
【図２】本発明の実施の形態１におけるフィルター枠裏面の外観斜視図
【図３】本発明の実施の形態１におけるレンズアクセサリーと本体レンズの外観斜視図
【図４】本発明の実施の形態２におけるフィルター枠とフィルター（光透過素子）との関係の外観斜視図
【図５】本発明の実施の形態２におけるフィルター枠裏面の外観斜視図
【図６】従来技術に係るフィルター取り付け構造の外観斜視図
【発明を実施するための形態】
【００１４】
以下に本発明の実施の形態について、図面を参照しながら説明する。
【００１５】
（実施の形態１）
図１は本発明の実施の形態１におけるレンズアクセサリーの斜視図である。
【００１６】
図１において、１２はフィルター枠、３２はフィルター（光透過素子）であり、２０、２４はフィルター枠に設けられた取手部とロック解除ストロークである。また、取手部２０には、指で圧縮するための押圧部２６を有する。フィルター枠１２は撓んで元の状態に復帰できる弾性体の樹脂を使用する。
【００１７】
図２は、図１のフィルター枠１２を反対方向から見た斜視図である。図２において、フィルター枠１２には、本体レンズ部の最前面に取り付けるため、フィルター枠１２と一体して形成されている係止部１６と係止溝３０を形成している。特許請求の範囲では、この係止部１６と係止溝３０とを単に「係止部」と称する。また、押圧部２６が押圧されることにより、係止部１６がフィルター取り付け部２２を変形することなく動作するために、ロック解除ストローク２４が形成され、フィルター枠１２が歪み、変形するのを防ぐために、そり防止リブ９が形成されている。また、２２はフィルター取り付け部でフィルター（光透過素子）３２を取り付けるために、段差が設けてある。また、位置決め面１４を本体レンズ部の最前面に当てつけることにより、フィルター（光透過素子）３２とレンズとの平面を確保する。
【００１８】
図３は、フィルター（光透過素子）３２を取り付けたフィルター枠１２とそれを取り付ける本体レンズ３４の斜視図である。本体レンズ３４の先端にレンズ最前面３６があり、その内側にフィルター枠１２の係止部１６が保持されるレンズ係止部３８が形成されている。
【００１９】
フィルター枠１２とフィルター（光透過素子）３２の固定方法は、接着剤や両面テープ等により固定されている。フィルター枠１２の押圧部２６を中心方向に指で挟むと、フィルター枠１２の係止部１６が連動してロック解除ストローク２４内を移動し、係止部１６が本体レンズ３４のレンズ係止部３８よりも内側に移動し、本体レンズ３４に取り付けることができる。フィルター枠１２が本体レンズ３４に保持されるために、フィルター枠１２の係止部１６の外径は、本体レンズ３４のレンズ係止部３８の内径よりも大きい必要があり、またフィルター枠１２のロック解除ストローク２４間の距離は、本体レンズ３４の最前面のレンズ係止部３８の内径よりも短い必要がある。
【００２０】
フィルター枠１２の押圧部２６は指で保持しやすく、中央に力がかかりやすいように、中央が凹んだ形状となっている。
【００２１】
レンズ係止部３８の直径よりもフィルター枠１２の係止部１６の直径が大きいために、フィルター枠１２は保持のために、外側に力を働かせている。しかし、もしフィルター枠１２の強度が無い場合、係止部１６が形成されている面とは反対側の面が撓んでしまい、フィルター（光透過素子）３２が歪む原因となりレンズアクセサリーの機能を満足する働きをすることができない。そのため、フィルター枠１２の係止部１６が形成されている面と同じ面に、そり防止リブ９を形成することで、フィルター枠１２の強度を確保する。このそり防止リブ９の高さは、本体レンズ３４のレンズ最前面３６と位置決め面１４を接触させるために、係止部１６よりも低い。
【００２２】
フィルター枠１２を取り付ける際、本体レンズ３４のレンズ最前面３６とレンズアクセサリー１０の取り付け傾きを規制するために、位置決め面１４をレンズ最前面３６に当てつけて取り付けることで、面精度を確保することができる。
【００２３】
（実施の形態２）
図４、図５は本発明の実施の形態２におけるレンズアクセサリーの斜視図である。図４、図５において、図１と同じ構成については同じ符号を用い、説明を省略する。
【００２４】
本実施の形態において、フィルター取り付け部材は、フィルター枠１２と別部品にて形成された係止部１６を有するフィルター枠ロック４０と、フィルター枠ロック４０のたわみと抜けを防止し、フィルター枠１２に取り付けるフィルター３２が外れるのを防止するためのロック蓋５０とで構成されている。フィルター枠ロック４０は、撓んで元の状態に復帰できる弾性体の樹脂を使用し、フィルター枠１２とロック蓋５０は樹脂を使用する。
【００２５】
ロック蓋５０は、フィルター枠ロック４０の係止部１６が圧縮方向のみ働くように、厚み方向に規制をしており、同時にフィルター枠１２に取り付けたフィルター枠ロック４０が外れないためにフィルター枠１２に固定される。
【００２６】
フィルター枠１２に取り付けたフィルター３２は、接着剤や両面テープ等により固定する以外にロック蓋５０で押さえることにより保持することもできる。
【産業上の利用可能性】
【００２７】
本発明にかかるフィルター取り付け部材は、本体レンズにワンタッチで取り付け、取り外しができ、特に回転方向に調整を行うレンズアクセサリーに適用できる。カメラはもちろんのこと、プロジェクター等のレンズがズーム/フォーカス調整時にレンズ外観が回転する場合に、非常に有用である。
【符号の説明】
【００２８】
９  そり防止リブ
１０  レンズアクセサリー
１２  フィルター枠
１４  位置決め面
１６  係止部
２０  取手部
２２  フィルター取り付け部
２４  ロック解除ストローク
２６  押圧部
３０  係止溝
３２  フィルター（光透過素子）
３４  本体レンズ
３６  レンズ最前面
３８  レンズ係止部
４０  フィルター枠ロック
５０  ロック蓋
【図６】
2011043653.tif 000003
【図１】
2011043653.tif 000004
【図２】
2011043653.tif 000005
【図３】
2011043653.tif 000006
【図４】
2011043653.tif 000007
【図５】
2011043653.tif 000008